(57)【要約】【課題】ネジなしで転がり玉保持器を取付けることができることにより、リニアガイドウエーの加工コストを低減して取付効率を向上すること。【解決手段】主な機能は転がり玉保持器にある転がり玉保持面により転がり玉をスライドブロック内に保持させ、前記転がり玉保持器は、スライドブロックの内部の両側の取付用合せ面に設置され、前記スライドブロックの両端に設置されるエンドカバーとの合せにより固定されるリニアガイドウエー用転がり玉保持器において、前記転がり玉保持器の両端には係止鉤とピンとが非対称に設けられ、それに応じてエンドカバーには係止溝と溝とが別々に設置され、前記係止鉤とピンとを別々に前記係止溝と溝とに合わせることにより、転がり玉保持器が固定されることを特徴とするリニアガイドウエー用転がり玉保持器。【選択図】図１
2005273832.tif 000002
【特許請求の範囲】
【請求項１】
主な機能は転がり玉保持器にある転がり玉保持面により転がり玉をスライドブロック内に保持させ、前記転がり玉保持器は、スライドブロックの内部の両側の取付用合せ面に設置され、前記スライドブロックの両端に設置されるエンドカバーとの合せにより固定されるリニアガイドウエー用転がり玉保持器であって、
前記転がり玉保持器の両端には係止鉤とピンとが非対称に設けられ、
それに応じてエンドカバーには係止溝と溝とが別々に設置され、
前記係止鉤とピンとを別々に前記係止溝と溝とに合わせることにより、転がり玉保持器が固定されることを特徴とする、
リニアガイドウエー用転がり玉保持器。
【請求項２】
前記転がり玉保持器は、前記スライドブロックの内部の両側の取付用合せ面で対向して設置されることを特徴とする、請求項１に記載のリニアガイドウエー用転がり玉保持器。
【請求項３】
前記転がり玉保持器は樹脂射出成形法により作製されるものであることを特徴とする、請求項１に記載のリニアガイドウエー用転がり玉保持器。
【請求項４】
前記転がり玉保持器にある係止鉤にはテーパ面を有し、エンドカバーにある係止溝にもテーパ面を有し、前記転がり玉保持器にある係止鉤がエンドカバーにある係止溝に係止可能に構成したことを特徴とする、請求項１に記載のリニアガイドウエー用転がり玉保持器。
【発明の詳細な説明】
【技術分野】
【０００１】
本発明は精密制御用のリニア伝動に応用され、自動化設備と、産業機械と、ロボットと、機械業と、計測装置と、電子設備となどに広汎に使用されているリニアガイドウエー用転がり玉保持器に関するものである。
【背景技術】
【０００２】
一般の機械には全てリニア案内機構が取り付けてあり、リニアガイドウエーはリニア案内機構の一つであり、従来のリニアガイドウエーのスライドブロック組合は、図７に示すように、主に、スライドブロック５０と、転がり玉を回流させるためのエンドカバー８０と、保持用鋼片６０となどから構成される。
転がり玉をスライドブロック５０に保持する部材は保持用鋼片６０であり、前記保持用鋼片６０が転がり玉の外面に当接することにより転がり玉の脱落を防止する。だが、前記保持用鋼片６０はネジ７０によってスライドブロック５０に螺着されるので、スライドブロック５０で螺旋穴５１を開けることが必要であり、且つ前記保持用鋼片６０に貫通孔６１を開けることも必要であり、そうすると、ネジ７０を、保持用鋼片６０の貫通孔６１を挿通してスライドブロック５０に開けた螺旋穴５１に螺着することにより、保持用鋼片６０をスライドブロック５０に固定する。
【発明の開示】
【発明が解決しようとする課題】
【０００３】
従来のスライドブロック５０は別に螺旋穴５１を形成するためのタップ工程が必要なので、加工コストが増加し、且つネジ７０により保持用鋼片６０を固定する場合には、保持用鋼片６０が変形し易い。また、この構成によれば、保持用鋼片６０の脱着が極めて面倒であるので、取付効率が低下する。そして、転がり玉の装入は、前もって保持用鋼片６０を取付けた後、初めて転がり玉を装入できるが、保持用鋼片６０の脱着および調整が難しいので、取付効率が低下する。また、組立てることに、保持用鋼片６０とエンドカバー８０との心合せが難しいので、取付効率が低下する。
【０００４】
また、従来の保持用鋼片６０はネジ７０によりスライドブロック５０に螺着され、保持用鋼片６０が充分の螺着強度を持たせるために、保持用鋼片６０は一般的に金属素材を採用しプレス成形法やベンディング成形法により作製しているが、金属材料で作製される保持用鋼片６０が転がり玉と摩擦すると騒音が発生し易くて転がり玉の寿命が短くなり、且つプレス成形法やベンディング成形法により作製されるものの精度再現性がより悪いので、転がり玉を保持するための保持用鋼片６０にある保持用曲面６２が成形し難しく、精度の制御も難しいので、保持用鋼片６０が転がり玉と干渉し易い。
【０００５】
本発明の目的は、ネジなしで転がり玉保持器を取付けることができることにより、リニアガイドウエーの加工コストを低減して取付効率を向上できるリニアガイドウエー用転がり玉保持器を提供することにある。
【課題を解決するための手段】
【０００６】
上記目的を達成するためになされた本願の発明は、主な機能は転がり玉保持器にある転がり玉保持面により転がり玉をスライドブロック内に保持させ、前記転がり玉保持器は、スライドブロックの内部の両側の取付用合せ面に設置され、前記スライドブロックの両端に設置されるエンドカバーとの合せにより固定されるリニアガイドウエー用転がり玉保持器であって、前記転がり玉保持器の両端には係止鉤とピンとが非対称に設けられ、それに応じてエンドカバーには係止溝と溝とが別々に設置され、前記係止鉤とピンとを別々に前記係止溝と溝とに合わせることにより、転がり玉保持器が固定されることを特徴とするリニアガイドウエー用転がり玉保持器であることを要旨としている。
【０００７】
本願の発明では、前記転がり玉保持器は、前記スライドブロックの内部の両側の取付用合せ面で対向して設置されることを特徴とする上記したリニアガイドウエー用転がり玉保持器であることを要旨としている。
【０００８】
本願の発明では、前記転がり玉保持器は樹脂射出成形法により作製されるものであることを特徴とする上記したリニアガイドウエー用転がり玉保持器であることを要旨としている。
【０００９】
本願の発明では、前記転がり玉保持器にある係止鉤にはテーパ面を有し、エンドカバーにある係止溝にもテーパ面を有し、前記転がり玉保持器にある係止鉤がエンドカバーにある係止溝に係止することができることを特徴とする上記したリニアガイドウエー用転がり玉保持器であることを要旨としている。
【発明の効果】
【００１０】
リニアガイドウエー用転がり玉保持器によれば、ネジなしで転がり玉保持器を取付けることができるので、リニアガイドウエーの加工コストが低減して取付効率が向上する。
【発明を実施するための最良の形態】
【００１１】
以下、添付図面を参照して本発明の好適な実施の形態を詳細に説明する。
【００１２】
図１は本発明に係る転がり玉保持器に合うためのスライドブロックの分解斜視図である。転がり玉保持器３０は、スライドブロック１０とエンドカバー２０の間に設置され、その主な機能が転がり玉４０をスライドブロック１０内に保持し、転がり玉４０の脱出を防止する。前記転がり玉保持器は、前記スライドブロックの内部の両側の取付用合せ面で対向に設置され、スライドブロック１０の両端に設置されるエンドカバー２０に合うことにより固定される。
【００１３】
図２は図１におけるエンドカバーの正面図であり、図３は図２におけるＡ-Ａ線の矢視図である。
エンドカバー２０のスライドブロックと接触する端面は内側面であり、エンドカバー２０のスライドブロックと接触しない端面は外側面である。エンドカバー２０の外側面では係止溝２１が設けてあり、エンドカバー２０の外側面では溝２２が設けてあり、前記係止溝２１にはテーパ面２１１と係止鉤２１２とを有するので、転がり玉保持器３０に合って転がり玉保持器３０を固定することができる。
【００１４】
図４は図１における転がり玉保持器の斜視図である。転がり玉保持器３０は、主に転がり玉保持面３１と取付用合せ面３４とを有し、前記転がり玉保持器３０の両端には係止鉤３２とピン３３とが非対称に設けられ、且つ転がり玉保持器３０にある前記係止鉤３２がエンドカバーと係合するように、前記係止鉤３２にはテーパ面３２１が設けてある。
【００１５】
本発明に係る転がり玉保持器とエンドカバーとの関係をもっと詳細に説明するために、図５と図６とを参照する。図５は本発明に係る転がり玉保持器とエンドカバーとの分解斜視図であり、図６は本発明に係る転がり玉保持器とエンドカバーとを組立てた後の状態を示す断面概略図である。転がり玉保持器３０の一端にあるピン３３がエンドカバー２０の内側面にある溝２２に挿入して嵌合する。転がり玉保持器３０の他端にある係止鉤３２がエンドカバー２０の外側面にある係止溝２１に合い、係止鉤３２が係止溝２１に挿入するときに、係止鉤３２にあるテ―パ面３２１が係止溝２１にあるテ―パ面２１１を滑って進み、もっと底まで進むと、エンドカバー２０の係止溝２１にある係止鉤２１２は転がり玉保持器３０にある係止鉤３２と係止して転がり玉保持器３０を固定する。
【図面の簡単な説明】
【００１６】
【図１】本発明に係る転がり玉保持器に合うためのスライドブロックの分解斜視図である。
【図２】図１におけるエンドカバーの正面図である。
【図３】図２におけるＡ-Ａ線の矢視図である。
【図４】図１における転がり玉保持器の斜視図である。
【図５】本発明に係る転がり玉保持器とエンドカバーとの分解斜視図である。
【図６】本発明に係る転がり玉保持器とエンドカバーとを組立てた後の状態を示す断面概略図である。
【図７】従来のリニアガイドウエーのスライドブロックの組立てた状態を示す斜視図である。
【符号の説明】
【００１７】
１０      スライドブロック
１１      取付用合せ面
２０      エンドカバー
２１      係止溝
２１１    テーパ面
２１２    係止鉤
２２      溝
３０      転がり玉保持器
３１      転がり玉保持面
３２      係止鉤
３２１    テーパ面
３３      ピン
３４      取付用合せ面
４０      転がり玉
５０      スライドブロック
５１      螺旋穴
６０      保持用鋼片
６１      貫通孔
６２      保持用曲面
７０      ネジ
８０      エンドカバー
【図１】
2005273832.tif 000003
【図２】
2005273832.tif 000004
【図３】
2005273832.tif 000005
【図４】
2005273832.tif 000006
【図５】
2005273832.tif 000007
【図６】
2005273832.tif 000008
【図７】
2005273832.tif 000009